(57)【要約】【課題】本発明は、側面パネルに開口を形成できる安価な箱用シートを提供することを課題とする。【解決手段】本発明の一態様に係る箱用シートは、一対の第１側面パネルに挟まれる第２側面パネルの上縁を両端とし、一対の第１側面パネルに挟まれる第２側面パネルの左右方向中央部に最下点を有する下方に凸状に形成される第１破断容易線と、第１破断容易線の両端からそれぞれ左右方向外側に延び、少なくとも外側の端部が第１側面パネルの上縁に重なるよう形成される一対の第２破断容易線と、第１破断容易線の両端の上方をそれぞれ起点として左右方向外側且つ上方に傾斜して延び、第１蓋フラップの上縁に達するよう形成される一対の第３破断容易線とを備えることを特徴とする。【選択図】図１
2019156403.tif 000002
【特許請求の範囲】
【請求項１】
１枚のシート材から形成され、
左右方向に交互に連設されて四角筒状に連結される一対の第１側面パネル及び一対の第２側面パネルと、
上記一対の第１側面パネルの上縁から延出する一対の第１蓋フラップ及び下縁から延出する一対の第１底フラップと、
上記一対の第２側面パネルの上縁から延出する一対の第２蓋フラップ及び下縁から延出する一対の第２底フラップと
を備え、
箱状に組み立て可能な箱用シートであって、
上記一対の第１側面パネルに挟まれる上記第２側面パネルの上縁を両端とし、上記一対の第１側面パネルに挟まれる第２側面パネルの左右方向中央部に最下点を有する下方に凸状に形成される第１破断容易線と、
上記第１破断容易線の両端からそれぞれ左右方向外側に延び、少なくとも外側の端部が上記第１側面パネルの上縁に重なるよう形成される一対の第２破断容易線と、
上記第１破断容易線の両端の上方をそれぞれ起点として左右方向外側且つ上方に傾斜して延び、上記第１蓋フラップの上縁に達するよう形成される一対の第３破断容易線と
を有することを特徴とする箱用シート。
【請求項２】
上記第２破断容易線の長さが上記第１破断容易線の両端間の距離の２０％以上８０％以下である請求項１に記載の箱用シート。
【請求項３】
上記第１破断容易線の端部と上記第３破断容易線の起点との距離が上記第１破断容易線の両端間の距離の５％以上３０％以下であり、
上記第３破断容易線の左右方向に対する平均傾斜角度が１５°以上６０°以下である請求項１又は請求項３に記載の箱用シート。
【請求項４】
側面に開口を形成可能な箱体を形成できる箱用シートの製造方法であって、
１枚のシート材から形成され、
左右方向に交互に連設されて四角筒状に連結される一対の第１側面パネル及び一対の第２側面パネルと、
上記一対の第１側面パネルの上縁から延出する一対の第１蓋フラップ及び下縁から延出する一対の第１底フラップと、
上記一対の第２側面パネルの上縁から延出する一対の第２蓋フラップ及び下縁から延出する一対の第２底フラップと
を有するＡ式ケース用シートを形成する工程と、
上記Ａ式ケース用シートに、トムソン型を用いて、
上記一対の第１側面パネルに挟まれる上記第２側面パネルの上縁を両端とし、上記一対の第１側面パネルに挟まれる第２側面パネルの左右方向中央部に最下点を有する下方に凸状に形成される第１破断容易線と、
上記第１破断容易線の両端からそれぞれ左右方向外側に延び、少なくとも外側の端部が上記第１側面パネルの上縁に重なるよう形成される一対の第２破断容易線と、
上記第１破断容易線の両端の上方をそれぞれ起点として左右方向外側且つ上方に傾斜して延び、上記第１蓋フラップの上縁に達するよう形成される一対の第３破断容易線と
を形成する工程と
を備えることを特徴とする箱用シートの製造方法。
【請求項５】
１枚のシート材から形成され、
左右方向に交互に連設されて四角筒状に連結される一対の第１側面パネル及び一対の第２側面パネルと、
上記一対の第１側面パネルの上縁から延出する一対の第１蓋フラップ及び下縁から延出する一対の第１底フラップと、
上記一対の第２側面パネルの上縁から延出する一対の第２蓋フラップ及び下縁から延出する一対の第２底フラップと
を有し、
箱状に組み立て可能なＡ式ケース用シートを加工することにより、側面に開口を形成可能な箱体を形成可能な箱用シートを製造するためのトムソン型であって、
上記一対の第１側面パネルに挟まれる上記第２側面パネルの上縁を両端とし、上記一対の第１側面パネルに挟まれる第２側面パネルの左右方向中央部に最下点を有する下方に凸状に形成される第１破断容易線を形成する第１トムソン刃と、
上記第１破断容易線の両端からそれぞれ左右方向外側に延び、少なくとも外側の端部が上記第１側面パネルの上縁に重なる一対の第２破断容易線を形成する一対の第２トムソン刃と、
上記第１破断容易線の両端の上方をそれぞれ起点として左右方向外側且つ上方に傾斜して延び、上記第１蓋フラップの上縁に達する一対の第３破断容易線を形成する一対の第３トムソン刃と
を備えることを特徴とするトムソン型。
【発明の詳細な説明】
【技術分野】
【０００１】
本発明は、箱用シート、箱用シートの製造方法及びトムソン型に関する。
【背景技術】
【０００２】
商品を輸送するために例えば段ボールシート等から形成される箱体が広く利用されている。最も一般的な箱体としては、ＪＩＳ−Ｚ１５０７（２０１３）にコード番号第０２０１号として規定されたいわゆるＡ式ケースがある。このようなＡ式ケース用シートは、製造装置が広く普及しているため、比較的安価に製造できる。一般的な製造装置では、簡単な調節によりサイズ（形成される箱体の高さ、幅及び長さ）を選択することができる。
【０００３】
また、輸送用の箱体の中には、側壁に開口を形成して商品の展示台として利用できるように構成されるものもある（例えば特開２０１７−２２６４４６号公報参照）。このように展示台として利用できる箱体は、シートをあらかじめミシン目状に断続的に切断した破断容易線が設けられ、この破断容易線に沿ってシートを切断して開封することで、所望の形状の開口を形成できるようになっている。
【０００４】
このような破断容易線は、一般に、ベースとなる板材に、形成する破断容易線及びその他の切断エッジに対応する形状に折り曲げた帯状の切断刃（トムソン刃）を配設したトムソン型と呼ばれる切断型を用いて形成される。このようなトムソン型は、形成しようとする破断容易線等の形状に切断刃を埋め込むため、破断容易線等の形状毎に作成する必要があり、汎用性がない。
【０００５】
従って、側壁に開口を形成可能な箱体を形成できる箱用シートは、トムソン型の作成コストによって単価が上昇し、特に製造数量が小さい小ロット品の場合には、かなり高価となってしまう。
【先行技術文献】
【特許文献】
【０００６】
【特許文献１】特開２０１７−２２６４４６号公報
【発明の概要】
【発明が解決しようとする課題】
【０００７】
上記不都合に鑑みて、本発明は、側面パネルに開口を形成できる安価な箱用シート、並びに側面パネルに開口を形成できる箱用シートを安価に製造できる箱用シートの製造方法及びトムソン型を提供することを課題とする。
【課題を解決するための手段】
【０００８】
上記課題を解決するためになされた本発明の一態様に係る箱用シートは、１枚のシート材から形成され、左右方向に交互に連設されて四角筒状に連結される一対の第１側面パネル及び一対の第２側面パネルと、上記一対の第１側面パネルの上縁から延出する一対の第１蓋フラップ及び下縁から延出する一対の第１底フラップと、上記一対の第２側面パネルの上縁から延出する一対の第２蓋フラップ及び下縁から延出する一対の第２底フラップとを備え、箱状に組み立て可能な箱用シートであって、上記一対の第１側面パネルに挟まれる上記第２側面パネルの上縁を両端とし、上記一対の第１側面パネルに挟まれる第２側面パネルの左右方向中央部に最下点を有する下方に凸状に形成される第１破断容易線と、上記第１破断容易線の両端からそれぞれ左右方向外側に延び、少なくとも外側の端部が上記第１側面パネルの上縁に重なるよう形成される一対の第２破断容易線と、上記第１破断容易線の両端の上方をそれぞれ起点として左右方向外側且つ上方に傾斜して延び、上記第１蓋フラップの上縁に達するよう形成される一対の第３破断容易線とを備えることを特徴とする。
【０００９】
当該箱用シートを組み立ててなる箱体は、上記第１破断容易線と上記第２破断容易線の第２側面パネルの上縁に重なる部分とを切断することにより、第２側面パネルの少なくとも中央上部及びその上方の第２蓋フラップ全体を一体に切除して、第２側面パネルに開口を形成することができる。また、当該箱用シートを組み立ててなる箱体は、上記第３破断容易線に沿って第１蓋フラップを切断することによって、第１蓋フラップ及び第２蓋フラップによって形成される蓋体の上記第２側面パネルの上記第１破断容易によって形成される開口に隣接する領域を開口し、箱体に収容する物品の取り出しを容易にすることができる。ここで、当該箱用シートは、多様なサイズのものを安価に製造できる製造設備が広く普及している一般的なＡ式ケース用シートに、上記第１破断容易線、上記一対の第２破断容易線及び上記一対の第３破断容易線をトムソン型を用いて形成することによって製造することができる。当該箱用シートにおいて、上記一対の第２破断容易線及び第３破断容易線は、その起点が第２側面パネル及び第２蓋フラップ上にあってもよく、第１側面パネル及び第１蓋フラップ上にあってもよい。このため、第２側面パネルの左右方向の幅が異なるＡ式ケース用シートに同一寸法の上記第１破断容易線、上記一対の第２破断容易線及び上記一対の第３破断容易線を形成することで、側面パネルに開口を形成可能な多様なサイズの箱用シートを製造することができる。つまり、当該箱用シートは、異なるサイズ間で上記第１破断容易線、上記一対の第２破断容易線及び上記一対の第３破断容易線を形成するトムソン型を共用することができるので、安価に提供することができる。
【００１０】
当該箱用シートにおいて、上記第２破断容易線の長さが上記第１破断容易線の両端間の距離の２０％以上８０％以下であることが好ましい。このように、上記第２破断容易線の長さが上記範囲内であることによって、上記第１破断容易によって画定される開口の左右方向の幅が上記第２側面パネルの幅に対して適当となる範囲内であれば、同じトムソン型を共用することができ、且つ当該箱用シートを組み立ててなる箱体の上記第２破断容易線による強度低下を問題が生じない程度に留めることができる。
【００１１】
当該箱用シートにおいて、上記第１破断容易線の端部と上記第３破断容易線の起点との距離が上記第１破断容易線の両端間の距離の５％以上３０％以下であり、上記第３破断容易線の左右方向に対する平均傾斜角度が１５°以上６０°以下であることが好ましい。このように、上記第１破断容易線の端部と上記第３破断容易線の起点との距離及び上記第３破断容易線の左右方向に対する平均傾斜角度をそれぞれ上記範囲内とすることによって、当該箱用シートを組み立ててなる箱体の蓋体の前側中央部を開口した状態で、その上に同じ箱体を安定して積み重ねることが可能な程度に蓋体の側部を残すことができる。
【００１２】
本発明の別の態様に係る箱用シートの製造方法は、側面に開口を形成可能な箱体を形成できる箱用シートの製造方法であって、１枚のシート材から形成され、左右方向に交互に連設されて四角筒状に連結される一対の第１側面パネル及び一対の第２側面パネルと、上記一対の第１側面パネルの上縁から延出する一対の第１蓋フラップ及び下縁から延出する一対の第１底フラップと、上記一対の第２側面パネルの上縁から延出する一対の第２蓋フラップ及び下縁から延出する一対の第２底フラップとを有するＡ式ケース用シートを形成する工程と、上記Ａ式ケース用シートに、トムソン型を用いて、上記一対の第１側面パネルに挟まれる上記第２側面パネルの上縁を両端とし、上記一対の第１側面パネルに挟まれる第２側面パネルの左右方向中央部に最下点を有する下方に凸状に形成される第１破断容易線と、上記第１破断容易線の両端からそれぞれ左右方向外側に延び、少なくとも外側の端部が上記第１側面パネルの上縁に重なるよう形成される一対の第２破断容易線と、上記第１破断容易線の両端の上方をそれぞれ起点として左右方向外側且つ上方に傾斜して延び、上記第１蓋フラップの上縁に達するよう形成される一対の第３破断容易線とを形成する工程とを備えることを特徴とする。
【００１３】
当該箱用シートの製造方法は、上記Ａ式ケース用シートを形成する工程で、一般的な製造装置を用いて比較的安価に多様な寸法のＡ式ケース用シートを形成することができ、且つこの多様な寸法のＡ式ケース用シートに同じトムソン型を用いて上記第１破断容易線、上記一対の第２破断容易線及び上記一対の第３破断容易線を形成することで、側面に開口を形成可能な箱体を形成できる多様な寸法の箱用シートを比較的安価に製造することができる。
【００１４】
本発明の別の態様に係るトムソン型は、１枚のシート材から形成され、左右方向に交互に連設されて四角筒状に連結される一対の第１側面パネル及び一対の第２側面パネルと、上記一対の第１側面パネルの上縁から延出する一対の第１蓋フラップ及び下縁から延出する一対の第１底フラップと、上記一対の第２側面パネルの上縁から延出する一対の第２蓋フラップ及び下縁から延出する一対の第２底フラップとを有し、箱状に組み立て可能なＡ式ケース用シートを加工することにより、側面に開口を形成可能な箱体を形成可能な箱用シートを製造するためのトムソン型であって、上記一対の第１側面パネルに挟まれる上記第２側面パネルの上縁を両端とし、上記一対の第１側面パネルに挟まれる第２側面パネルの左右方向中央部に最下点を有する下方に凸状に形成される第１破断容易線を形成する第１トムソン刃と、上記第１破断容易線の両端からそれぞれ左右方向外側に延び、少なくとも外側の端部が上記第１側面パネルの上縁に重なる一対の第２破断容易線を形成する一対の第２トムソン刃と、上記第１破断容易線の両端の上方をそれぞれ起点として左右方向外側且つ上方に傾斜して延び、上記第１蓋フラップの上縁に達する一対の第３破断容易線を形成する一対の第３トムソン刃とを備えることを特徴とする。
【００１５】
当該トムソン型は、広く普及している製造装置により安価に形成される多様な寸法のＡ式ケース用シートに、上記第１破断容易線、上記一対の第２破断容易線及び上記一対の第３破断容易線を形成することで、側面に開口を形成可能な箱体を形成できる多様な寸法の箱用シートを製造することができる。当該トムソン型は、Ａ式ケース用シートの第２側面パネルの左右方向の幅が、上記第１破断容易線の両端間の幅以上、上記一対の第２破断容易線の外側の端部間の幅以下であれば適用することができる。このため、当該トムソン型は、側面に開口を形成可能な箱体を形成できる多様な寸法の箱用シートを比較的安価に製造することができる。
【発明の効果】
【００１６】
本発明に係る箱用シートは、側面パネルに開口を形成できるにもかかわらず安価である。また、本発明に係る箱用シートの製造方法及びトムソン型は、側面パネルに開口を形成できる箱用シートを安価に製造することができる。
【図面の簡単な説明】
【００１７】
【図１】本発明の一実施形態の箱用シートの模式的平面図（展開図）である。
【図２】図１の箱用シートを組み立ててなる箱体の模式的斜視図である。
【図３】図２の箱体を開封して形成される展示台の模式的斜視図である。
【図４】本発明の図１とは異なる実施形態の箱用シートを示す模式的平面図である。
【図５】図４の箱用シートを組み立ててなる箱体を開封して形成される展示台の模式的斜視図である。
【図６】図１及び図４の箱用シートを製造するために用いられるトムソン型の模式的斜視図である。
【発明を実施するための形態】
【００１８】
以下、適宜図面を参照しつつ、本発明の実施の形態を詳説する。
【００１９】
［第一実施形態］
図１に、本発明の第一実施形態に係る箱用シートを示す。なお、図１において、太い実線はシート材を切断した切断線を示し、細い実線はシート材の裏面側（組立て時に内側に配置される面）に筋押しして形成される罫線を示す。従って、図１において破線状に見える部分は、シート材が断続的に切断されている。
【００２０】
当該箱用シートは、１枚のシート材から形成される。当該箱用シートを形成するシート材としては、例えば段ボールシート、プラスチックボード、ボール紙等を用いることができ、中でも段ボールシートが好適に用いられる。
【００２１】
上記段ボールシートとしては、１枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２２】
当該箱用シートは、左右方向に交互に連設される方形状の一対の第１側面パネル（左第１側面パネル１、右第１側面パネル２）及び第１側面パネル１，２よりも左右方向の幅が小さい一対の第２側面パネル（前第２側面パネル３、後第２側面パネル４）と、左第１側面パネル１の前第２側面パネル３と反対側の側縁に連接され、後第２側面パネル４の右第１側面パネル２と反対側の側縁近傍部の内面に接着されることにより、二対の側面パネル１〜４を四角筒状に連結する継ぎしろ５と、一対の第１側面パネル１，２の上縁から延出する一対の第１蓋フラップ（左第１蓋フラップ６、右第１蓋フラップ７）及び下縁から延出する一対の第１底フラップ（左第１底フラップ８、右第１底フラップ９）と、一対の第２側面パネル３，４の上縁から延出する一対の第２蓋フラップ（前第２蓋フラップ１０、後第２蓋フラップ１１）及び下縁から延出する一対の第２底フラップ（前第２底フラップ１２、後第２底フラップ１３）とを備える。
【００２３】
なお、本明細書において、「左右方向」とは、当該箱用シートを組み立ててなる箱体の想定される一般的な使用態様における水平方向に対応する方向であり、「上」及び「下」とは、想定される一般的な使用態様における上下方向を意味しているが、当該箱用シートの製造時の向きや当該箱用シートを組み立ててなる箱体の使用時の向き制限することを企図しない。
【００２４】
通常、当該箱用シートは、左第１側面パネル１及び前第２側面パネル３間と後第２側面パネル４及び右第１側面パネル２間とで折り曲げて、後第２側面パネル４の裏面に継ぎしろ５を接着し、左第１側面パネル１を前第２側面パネル３の裏面に、後第２側面パネル４を右第１側面パネル２の裏面にそれぞれ密着させた折り畳み状態でユーザーに提供される。後第２側面パネル４への継ぎしろ５の接着は、例えば接着剤、ステープラー等を用いて行うことができる。
【００２５】
当該箱用シートは、図２に示すように、一対の第１側面パネル１，２同士及び一対の第２側面パネル３，４同士をそれぞれ対向させて四角筒状体を形成し、この四角筒状体の上端を第１蓋フラップ６，７及び第２蓋フラップ１０，１１で封止し、下端を第１底フラップ８，９及び第２底フラップ１２，１３で封止することによって、底体及び蓋体を有する箱状に組み立てられる。
【００２６】
より詳しくは、当該箱用シートを組み立ててなる箱体において、二対の側面パネル１〜４から形成される四角筒状体の上端は、一対の第２蓋フラップ１０，１１を内側に折り曲げ、この一対の第２蓋フラップ１０，１１の外面に一対の第１蓋フラップ６，７を折り重ね、この一対の第１蓋フラップ６，７の先端縁同士を突き合わせることで封止される。同様に、４つの側面パネル１〜４から形成される四角筒状体の下端は、一対の第２底フラップ１２，１３を内側に折り曲げ、この一対の第２底フラップ１２，１３の外面に一対の第１底フラップ８，９を折り重ね、一対の第１底フラップ８，９の先端縁同士を突き合わせることで封止される。
【００２７】
当該箱用シートは、一対の第１側面パネル１，２に挟まれる前第２側面パネル３の上縁を両端とし、一対の第１側面パネル１，２に挟まれる前第２側面パネル３の左右方向中央部に最下点を有する下方に凸状に形成される第１破断容易線１４と、第１破断容易線１４の両端からそれぞれ左右方向外側に延び、少なくとも外側の端部が第１側面パネル１，２の上縁に重なるよう形成される一対の第２破断容易線（左第２破断容易線１５、右第２破断容易線１６）と、第１破断容易線１４の両端の上方をそれぞれ起点として左右方向外側且つ上方に傾斜して延び、第１蓋フラップ６，７の上縁に達するよう形成される一対の第３破断容易線（左第３破断容易線１７、右第３破断容易線１８）とを有する。また、当該箱用シートは、第１破断容易線１４の下端部より少し上方に、第１破断容易線１４上の２点を接続するよう左右方向に延びる補助罫線１９を有する。
【００２８】
第１破断容易線１４、一対の第２破断容易線１５，１６及び一対の第３破断容易線１７，１８は、シート材をミシン目状に断続的に切断して容易に破断可能とした周知の構成とすることができる。なお、上記第１破断容易線１４の両端及び第２破断容易線１５，１６、の起点の位置の説明は、シート材の切断線の端部の位置を厳密に限定するものでなく、第１破断容易線１４が前第２側面パネル３の上縁まで連続して容易に破断可能であること、及び第２破断容易線１５，１６が第１破断容易線１４から連続して前第２側面パネル３の上縁に沿って容易に破断可能であることを意味する。また、第３破断容易線１７，１８の起点についても、厳密に第１破断容易線１４の両端の真上でなくてもよい。
【００２９】
＜第１破断容易線＞
第１破断容易線１４は、図３に示すように、当該箱用シートを組み立ててなる箱体において、その最下点から両端に向かって破断され、前第２側面パネル３に開口を形成する。つまり、第１破断容易線１４は、当該箱用シートを組み立ててなる箱体に形成される開口の外縁を画定する。
【００３０】
第１破断容易線１４の形状としては、本実施形態のような逆台形状の他、例えば半円状、半楕円状、逆三角形状、方形状等、所望の開口を形成できるよう選択することができる。また、第１破断容易線１４の両端間の左右方向距離及び両端から最下点までの上下方向距離についても、所望の開口の大きさに合わせて選択することができる。
【００３１】
第１破断容易線１４は、破断の起点となる最下点に破断開始を容易にする破断開始部２０を有することが好ましい。本実施形態における破断開始部２０は、第１破断容易線１４の最下点近傍領域のシート材を連続して切断して形成され、この破断開始部２０に囲まれるシート材を箱体の内側に押し込むようにして小さい開口を形成し、この開口に手を差し込んでシート材を引っ張ることで、第１破断容易線１４を両端に向かって容易に破断できるように構成されている。補助罫線１９は、破断開始部２０に囲まれるシート材を箱体の内側に押し込むことを容易にする。
【００３２】
＜第２破断容易線＞
第２破断容易線１５，１６は、前第２側面パネル３と前第２蓋フラップ１０との境界を画定する罫線、及び第１側面パネル１，２と第１蓋フラップ６，７との境界を画定する罫線に重畳して形成される。
【００３３】
第２破断容易線１５，１６は、第１破断容易線１４の両端から連続して前第２側面パネル３の上縁に沿ってシート材を切断することで、前第２側面パネル３の上縁から延出する前第２蓋フラップ１０を前第２側面パネル３の第１破断容易線１４に囲まれる部分と共に前第２側面パネル３の他の部分から分離することを可能にする。これにより、当該箱用シートを組み立ててなる箱体は、前第２側面パネル３の第１破断容易線１４に囲まれる部分を切除して開口を形成することができる。
【００３４】
第２破断容易線１５，１６の第１側面パネル１，２の上縁に重なる部分は、当該箱用シートにおいては機能上必要ではない。しかしながら、第２破断容易線１５，１６が第１側面パネル１，２の上縁上まで延在することで、後述するように、当該箱用シートを形成するトムソン型を異なるサイズの箱用シートの製造時にも使用可能とする。
【００３５】
一方、第２破断容易線１５，１６の第１側面パネル１，２の上縁に重なる部分は、当該箱用シートを組み立ててなる箱体の強度を低下させるおそれがある。このため、第２破断容易線１５，１６の非切断部の長さは、シート材を正確に破断可能とすることができ、且つシート材の強度低下が過大とならないよう選択されることが好ましい。
【００３６】
第２破断容易線１５，１６のそれぞれの長さの下限としては、第１破断容易線１４の両端間の距離の２０％が好ましく、３０％がより好ましい。一方、第２破断容易線１５，１６の長さの上限としては、第１破断容易線１４の両端間の距離の８０％が好ましく、７０％がより好ましい。第２破断容易線１５，１６の長さが上記下限に満たない場合、同じトムソン型を適用できるサイズ幅が小さく、当該箱用シートの製造コストを十分低減できないおそれがある。逆に、第２破断容易線１５，１６の長さが上記上限を超える場合、当該箱用シートを組み立ててなる箱体の強度が不必要に低下するおそれがある。
【００３７】
＜第３破断容易線＞
第３破断容易線１７，１８は、第１蓋フラップ６，７の前第２側面パネル３側の先端角部を例えば三角形状に切除して、当該箱用シートを組み立ててなる箱体において一対の第１蓋フラップ６，７及び一対の第２蓋フラップ１０，１１により形成される蓋体の中央前部に例えば二等辺三角形状の開口を形成することを可能にする。
【００３８】
第３破断容易線１７，１８は、それぞれ全体として傾斜して延在していればよく湾曲又は屈曲していてもよいが、その場合は形成できる開口が大きくなるよう、下に凸状であることが好ましい。
【００３９】
第１破断容易線１４の端部と第３破断容易線１７，１８の起点との距離の下限としては、第１破断容易線１４の両端間の距離の５％が好ましく、１０％がより好ましい。一方、第１破断容易線１４の端部と第３破断容易線１７，１８の起点との距離の上限としては、第１破断容易線１４の両端間の距離の３０％が好ましく、２０％がより好ましい。第１破断容易線１４の端部と第３破断容易線１７，１８の起点との距離が上記下限に満たない場合、第３破断容易線１７，１８を破断して箱体の蓋体に開口を形成したときに残存する第１蓋フラップ６，７の前部の幅が小さくなることで、箱体を安定して積み重ねることができなくなるおそれがある。逆に、第１破断容易線１４の端部と第３破断容易線１７，１８の起点との距離が上記上限を超える場合、箱体の上部に形成される開口の大きさが不十分となるおそれがある。
【００４０】
第３破断容易線１７，１８の左右方向（第１側面パネル１，２の上縁）に対する平均傾斜角度の下限としては、１５°が好ましく、１８°がより好ましい。一方、第３破断容易線１７，１８の左右方向に対する平均傾斜角度の上限としては、６０°が好ましく、４５°がより好ましい。第３破断容易線１７，１８の左右方向に対する平均傾斜角度が上記下限に満たない場合、第１蓋フラップ６，７の上縁を残すことができず、開口形成時に箱体の強度が不十分となるおそれがある。逆に、第３破断容易線１７，１８の左右方向に対する平均傾斜角度が上記上限を超える場合、十分な大きさの開口を形成できないおそれがある。
【００４１】
第３破断容易線１７，１８は、当該箱用シートを組み立ててなる箱体の強度に殆ど影響しない。このため、第３破断容易線１７，１８は、シート材をより簡単に破断することができるよう、第１破断容易線１４及び第２破断容易線１５，１６よりも非切断部の長さが小さいミシン目としてもよい。
【００４２】
＜利点＞
当該箱用シートを組み立ててなる箱体は、第１破断容易線１４と第２破断容易線１５，１６の前第２側面パネル３の上縁に重なる部分とを切断することにより、前第２側面パネル３の中央上部及び前第２蓋フラップ１０全体を一体に切除して、前第２側面パネル３に開口を形成し、収容する物品を取り出すことができる展示台として使用できる。
【００４３】
また、当該箱用シートを組み立ててなる箱体は、第３破断容易線１７，１８に沿って第１蓋フラップ６，７を切断することによって、蓋体の前側中央部を開口して、物品の取り出しをさらに容易にすることができる。
【００４４】
また、当該箱用シートを組み立ててなる箱体は、前第２側面パネル３及び蓋体に開口を形成した状態から一対の第１蓋フラップ６，７及び後第２蓋フラップ１１を上側に引き起こし、これらの引き起こした蓋フラップ６，７，１１の内側で、収容する物品の上に別の箱体に収容されていた物品を積み重ねて展示する展示台として使用することもできる。
【００４５】
［第二実施形態］
図４に、本発明の第二実施形態に係る箱用シートを示す。図４の箱用シートは、図１の箱用シートと同様に、１枚のシート材から形成され、箱状に組み立てることができる。
【００４６】
当該箱用シートは、左右方向に交互に連設される方形状の一対の第１側面パネル（左第１側面パネル１、右第１側面パネル２）及び一対の第２側面パネル（前第２側面パネル３、後第２側面パネル４）と、左第１側面パネル１の前第２側面パネル３と反対側の側縁に連接され、後第２側面パネル４の右第１側面パネル２と反対側の側縁近傍部の内面に接着されることにより、二対の側面パネル１〜４を四角筒状に連結する継ぎしろ５と、一対の第１側面パネル１，２の上縁から延出する一対の第１蓋フラップ（左第１蓋フラップ６、右第１蓋フラップ７）及び下縁から延出する一対の第１底フラップ（左第１底フラップ８、右第１底フラップ９）と、一対の第２側面パネル３，４の上縁から延出する一対の第２蓋フラップ（前第２蓋フラップ１０、後第２蓋フラップ１１）及び下縁から延出する一対の第２底フラップ（前第２底フラップ１２、後第２底フラップ１３）とを備える。
【００４７】
当該箱用シートは、一対の第１側面パネル１，２に挟まれる前第２側面パネル３の上縁を両端とし、一対の第１側面パネル１，２に挟まれる前第２側面パネル３の左右方向中央部に最下点を有する下方に凸状に形成される第１破断容易線１４と、第１破断容易線１４の両端からそれぞれ左右方向外側に延び、少なくとも外側の端部が第１側面パネル１，２の上縁に重なるよう形成される一対の第２破断容易線（左第２破断容易線１５、右第２破断容易線１６）と、第１破断容易線１４の両端の上方をそれぞれ起点として左右方向外側且つ上方に傾斜して延び、第１蓋フラップ６，７の上縁に達するよう形成される一対の第３破断容易線（左第３破断容易線１７、右第３破断容易線１８）とを有する。また、当該箱用シートは、第１破断容易線１４の下端部より少し上方に、第１破断容易線１４上の２点を接続するよう左右方向に延びる補助罫線１９を有する。
【００４８】
図４の箱用シートは、組み立ててなる箱体の寸法（幅、長さ及び高さ）が、図１の箱用シートを組み立ててなる箱体の寸法よりも小さい。このため、図４の箱用シートの側面パネル１〜４及びフラップ６〜１３の寸法は、図１の箱用シートの側面パネル１〜４及びフラップ６〜１３の寸法よりも小さい。一方、図４の箱用シートにおける第１破断容易線１４及び第２破断容易線１５，１６は、図１の箱用シートにおける第１破断容易線１４及び第２破断容易線１５，１６と同じ寸法に形成されている。より詳しくは、図４の箱用シートにおいて、第１破断容易線１４の両端は、前第２側面パネル３の上側の２つの角を両端として形成され、第２破断容易線１５，１６は、その全体が第１側面パネル１，２の上縁に重なるよう形成されている。図４の箱用シートにおける第３破断容易線１７，１８は、その全長が第１蓋フラップ６，７の大きさに対応して小さい以外は、図１の箱用シートにおける第３破断容易線１７，１８と同様である。
【００４９】
図４の箱用シートは、上述の寸法が異なる点を除いて、図１の箱用シートと同様とすることができる。このため、図４の箱用シートについて、図１の箱用シートと同じ構成要素には同じ符号を付して重複する説明を省略する。
【００５０】
図４の箱用シートを組み立ててなる箱体は、図５に示すように、第１破断容易線１４に沿ってシート材を破断することによって、前第２側面パネル３に開口を形成するよう開封することができる。
【００５１】
［箱用シートの製造方法］
図１の箱用シート及び図４の箱用シートは、それ自体が本発明の別の実施形態である箱用シートの製造方法によって製造することができる。
【００５２】
当該箱用シートの製造方法は、一対の第１側面パネル１，２及び一対の第２側面パネル３，４、一対の第１蓋フラップ６，７、一対の第１底フラップ８，９、一対の第２蓋フラップ１０，１１並びに一対の第２底フラップ１２，１３を有するＡ式ケース用シートを形成する工程＜Ａ式ケース用シート形成工程＞と、形成されたＡ式ケース用シートに、それ自体が本発明のさらに別の実施形態である図６のトムソン型を用いて、第１破断容易線１４、一対の第２破断容易線１５，１６及び一対の第３破断容易線１７，１８並びに必要に応じて補助罫線１９を形成する工程＜破断容易線形成工程＞とを備える。
【００５３】
＜Ａ式ケース用シート形成工程＞
Ａ式ケース用シート形成工程は、一般的な製造装置を用いた周知の方法により、所望のサイズのＡ式ケース用シートを形成する。
【００５４】
具体的には、中芯を波状に成形し、中芯にライナーを貼り合わせるコルゲーターに付設され、シート材を当該箱用シートの上下方向の高さと等しい幅に切断するスリッター、側面パネル１〜４の上縁及び下縁を定める罫線を形成するスコアラー、側面パネル間を区切る縦罫線を形成するクリーザー及びフラップ６〜１３間のシート材を切除してフラップ６〜１３の側縁を画定するスロッターを調節することにより、任意のサイズのＡ式ケース用シートを形成することができる。
【００５５】
＜破断容易線形成工程＞
破断容易線形成工程では、図６のトムソン型を用いて、第１破断容易線１４、一対の第２破断容易線１５，１６及び一対の第３破断容易線１７，１８並びに必要に応じて補助罫線１９を形成することにより、Ａ式ケース用シートを本発明に係る箱用シートにする。
【００５６】
この破断容易線形成工程は、平盤ダイカッターを用いて行ってもよく、ロータリーダイカッターを用いて行ってもよい。
【００５７】
（トムソン型）
当該トムソン型は、不図示のダイカッターに固定される板状（ロータリーダイカッターを用いる場合は円筒面状に湾曲したものとすることができる）の基材２１と、この基材２１の表面に切断刃部分が突出するよう埋設され、第１破断容易線１４を形成する第１トムソン刃２２と、一対の第２破断容易線１５，１６を形成する一対の第２トムソン刃２３，２４と、一対の第３破断容易線１７，１８を形成する一対の第３トムソン刃２５，２６と、必要に応じて補助罫線１９を形成する罫線押型２７とを備える。
【００５８】
第１トムソン刃２２、一対の第２トムソン刃２３，２４及び一対の第３トムソン刃２５，２６は、それぞれミシン目状に断続的にシート材を切断するよう、切断刃が間欠的に形成されたものとされる。
【００５９】
当該トムソン型の第１トムソン刃２２及び一対の第２トムソン刃２３，２４の形状は、図１の箱用シートの第１破断容易線１４及び一対の第２破断容易線１５，１６に対応する形状とされる。一方、当該トムソン型の一対の第３トムソン刃２５，２６の形状は、図１の箱用シートの一対の第３破断容易線１７，１８に対応するが、図１の箱用シートの第１蓋フラップ６，７よりもさらに上方に対応する位置まで延びるものとされる。
【００６０】
一対の第３トムソン刃２５，２６の終点（第１トムソン刃２２と反対側の端部）の一対の第２トムソン刃２３，２４からの上下方向距離としては、一対の第２トムソン刃２３，２４の外側端部間の距離と等しいか僅かに大きいことが好ましい。これにより、第１トムソン刃２２及び一対の第２トムソン刃２３，２４により形成される第１破断容易線１４及び一対の第２破断容易線１５，１６によって前第２側面パネル３の中央上部及び前第２蓋フラップ１０を切除可能とすることができる最大幅の前第２側面パネル３を有するＡ式ケースの第１蓋フラップ６，７にその上縁に達する第３破断容易線１７，１８を形成することができる。
【００６１】
＜利点＞
当該トムソン型及び当該箱用シートの製造方法は、多様なサイズのものを安価に製造できる製造設備が広く普及している一般的なＡ式ケース用シートに、共通のトムソン型を用いて、第１破断容易線１４、一対の第２破断容易線１５，１６及び一対の第３破断容易線１７，１８を形成することで、箱状に組み立てた状態で前第１側面パネルに開口を形成できる図１の箱用シート及び図４の箱用シート、並びにさらに異なる寸法の箱用シートを製造することができる。このように、当該トムソン型及び当該箱用シートの製造方法は、１つの当該トムソン型を共用できるので、寸法が異なる複数の箱用シートを比較的安価に製造することができる。
【００６２】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００６３】
当該箱用シートは、第２側面パネルの左右方向の幅が、第１側面パネルの左右方向の幅よりも大きく、第２蓋フラップ及び第２底フラップが、第１蓋フラップ及び第１底フラップの外面側に折り重ねられ、先端縁同士を突き合わせることで、二対の側面パネルにより形成される四角筒状体の上端及び下端を封止するものであってもよい。
【００６４】
当該箱用シートにおいて、破断開始部の構成は任意であり、上記実施形態とは異なる周知の構成としてもよい。また、当該箱用シートにおいて、補助罫線は省略することができる。このため、当該トムソン型における罫線押型も任意の構成である。
【産業上の利用可能性】
【００６５】
当該箱用シート及び当該箱用シートの製造方法並びに当該トムソン型により製造される箱用シートは、特に小ロットの商品を収容し、側面パネルを開口して商品を展示する展示台として利用される箱体を形成するために好適に利用することができる。
【符号の説明】
【００６６】
１  左第１側面パネル
２  右第１側面パネル
３  前第２側面パネル
４  後第２側面パネル
５  継ぎしろ
６  左第１蓋フラップ
７  右第１蓋フラップ
８  左第１底フラップ
９  右第１底フラップ
１０  前第２蓋フラップ
１１  後第２蓋フラップ
１２  前第２底フラップ
１３  後第２底フラップ
１４  第１破断容易線
１５  左第２破断容易線
１６  右第２破断容易線
１７  左第３破断容易線
１８  右第３破断容易線
１９  補助罫線
２０  破断開始部
２１  基材
２２  第１トムソン刃
２３，２４  第２トムソン刃
２５，２６  第３トムソン刃
２７  罫線押型
【図１】
2019156403.tif 000003
【図２】
2019156403.tif 000004
【図３】
2019156403.tif 000005
【図４】
2019156403.tif 000006
【図５】
2019156403.tif 000007
【図６】
2019156403.tif 000008
【手続補正書】
【提出日】平成30年4月24日(2018.4.24)
【手続補正１】
【補正対象書類名】特許請求の範囲
【補正対象項目名】請求項３
【補正方法】変更
【補正の内容】
【請求項３】
上記第１破断容易線の端部と上記第３破断容易線の起点との距離が上記第１破断容易線の両端間の距離の５％以上３０％以下であり、
上記第３破断容易線の左右方向に対する平均傾斜角度が１５°以上６０°以下である請求項１又は請求項２に記載の箱用シート。